(57)【要約】【課題】必要な剛性を確保しながら、より軽量で、鍵の連打性を向上させることができるグランドピアノのアクションを提供する。【解決手段】鍵２の押鍵に伴って作動し、ハンマー３を回動させることにより、打弦を行わせるピアノのアクションであって、鍵２で突き上げられることにより上方に回動するウィッペン４と、ウィッペン４に回動自在に取り付けられた基部３１、および基部３１からそれぞれ延びるとともに、先端側に向かうにしたがって単位長さ当りの重量が小さくなるハンマー突き上げ部３２およびレギュレーティングボタン当接部３３を有するジャックと、を備えている。【選択図】　図１
2004101953.tif 000002
【特許請求の範囲】
【請求項１】
鍵の押鍵に伴って作動し、ハンマーを回動させることにより、打弦を行わせるピアノのアクションであって、
前記鍵で突き上げられることにより上方に回動するウィッペンと、
当該ウィッペンに回動自在に取り付けられた基部、および当該基部からそれぞれ延びるとともに、先端側に向かうにしたがって単位長さ当りの重量が小さくなるハンマー突き上げ部およびレギュレーティングボタン当接部を有するジャックと、
を備えていることを特徴とするグランドピアノのアクション。
【請求項２】
前記ハンマー突上げ部および前記レギュレーティングボタン当接部は、先端側に向かうにしたがって、テーパ状にそれぞれ狭くなっていることを特徴とする請求項１に記載のグランドピアノのアクション。
【請求項３】
前記基部、前記ハンマー突上げ部および前記レギュレーティングボタン当接部のそれぞれに、重量を低減させるための孔および凹部の少なくとも一方が形成されていることを特徴とする請求項１または２に記載のグランドピアノのアクション。
【請求項４】
前記ウィッペンに取り付けられた当接部材と、
前記ハンマー突上げ部の長さ方向の中心よりも前記基部側に取り付けられ、前記当接部材に当接することによって前記ジャックの回動を阻止するためのジャックボタンと、
をさらに備えていることを特徴とする請求項１ないし３のいずれかに記載のグランドピアノのアクション。
【発明の詳細な説明】
【０００１】
【発明の属する技術分野】
本発明は、鍵の押鍵に伴って作動し、ハンマーを回動させることによって打弦を行わせるグランドピアノのアクションに関する。
【０００２】
【従来の技術】
図５は、従来の一般的なグランドピアノのアクション５１を鍵２の離鍵状態において示している。このアクション５１は、後端部（同図の左端部）を中心に回動自在で、鍵２の後部に載置されたウィッペン４と、ウィッペン４に回動自在に取り付けられたレペティションレバー５およびジャック５６と、両者５、５６を復帰方向（同図の反時計方向）に付勢するレペティションスプリング７とを備えている。
【０００３】
これらのウィッペン４、レペティションレバー５およびジャック５６は、いずれも木材または合成樹脂で構成されている。また、鍵２の前部には、図示しない鍵重りが取り付けられており、この鍵重りとアクション５１の重さとのバランスによって、鍵２のタッチ重さが調整される。レペティションレバー５の前部には、上下方向に貫通するジャック案内孔５ｃが形成されており、このジャック案内孔５ｃの付近に、シャンクローラ８を介してハンマー３が載置されている。
【０００４】
一方、図６に示すように、ジャック５６は、ウィッペン４の前端部に回動自在に取り付けられた基部５６ａと、基部５６ａから互いにほぼ直角に延びるハンマー突上げ部５６ｂおよびレギュレーティングボタン当接部５６ｃなどからＬ字状に形成されており、上下に延びるハンマー突上げ部５６ｂの先端部が、レペティションレバー５のジャック案内孔５ｃに、これに沿って移動自在に係合している。また、ジャック５６は、ＡＢＳやポリアセタールのような合成樹脂によって構成されている。これは、合成樹脂は木材と比較して、耐摩耗性に優れ、温湿度変化に伴う寸法の変化がより小さいことによる。
【０００５】
また、ハンマー突上げ部５６ｂの長さ方向の中央部には、ジャック５６の角度位置を調整するためのジャックボタンスクリュー１１が、前後方向に貫通した状態で進退自在に螺合している。ジャックボタンスクリュー１１の先端部には、ジャックボタン１２が一体に設けられており、このジャックボタン１２は、ウィッペン４に立設されたスプーン１３に当接している。
【０００６】
この離鍵状態から、鍵２が押鍵されると、ウィッペン４が突き上げられることにより回動し、レペティションレバー５およびジャック５６がウィッペン４と一緒に上方に移動する。これらの移動に伴い、まず、レペティションレバー５が、シャンクローラ８を摺動させながらこれを介してハンマー３を押し上げ、上方に回動させる。次いで、レペティションレバー５がドロップスクリュー９に係合することにより、ジャック５６のハンマー突上げ部５６ｂがシャンクローラ８を介してハンマー３を突き上げる。その後、ハンマー３が、上方に張られた弦Ｓを打弦する直前まで回動した時点で、ジャック５６のレギュレーティングボタン当接部５６ｃが、レギュレーティングボタン１０に係合することによって回動し、シャンクローラ８から離れる。これにより、ハンマー３は、アクション５１および鍵２との連結を解かれ、自由回動状態で弦Ｓを打弦する。
【０００７】
その後、鍵２が離鍵され、ある程度まで戻されたタイミングで、レペティションレバー５が作動し始め、レペティションスプリング７のばね力で反時計方向に復帰回動することによって、シャンクローラ８を摺動させながら押し上げる。これにより、ジャック５６が、レペティションスプリング７のばね力で反時計方向に復帰回動し、元の位置に戻ることによって、鍵２が完全に戻らなくても、次の打弦を行うことが可能になり、同じ弦Ｓをハンマー３で連打することができるので、トリルを行う場合のような同じ鍵２を連続して速く叩く連打を行うことができる。
【０００８】
【発明が解決しようとする課題】
しかし、上述した従来のグランドピアノのアクション５１には、以下のような問題がある。アクション５１の主要な部品であるジャック５６を構成するＡＢＳやポリアセタールなどの合成樹脂は、木材と比較して比重が大きいことから、これらの合成樹脂によって、木材の場合と同じ寸法でジャック５６を作製すると、ジャック５６の重量が増加する。それに伴って、その回動時にジャック５６自体に作用する慣性力が増大するため、鍵２を離鍵した後のジャック５６の復帰回動が遅延してしまう。すなわち、鍵２の動作に対するジャック５６の追随性が低下することによって、特に、同じ鍵２を連打する際のハンマー３による弦Ｓの連打性に悪影響を及ぼすおそれがある。
【０００９】
また、ジャック５６の重量が増加する分、アクション５１全体としての重量が増加する。その結果、鍵２のタッチ重さを調整するために鍵２に取り付ける重りの量が増加するため、その分、コストが増大してしまう。
【００１０】
本発明は、このような課題を解決するためになされたものであり、必要な剛性を確保しながら、より軽量で、鍵の連打性を向上させることができるグランドピアノのアクションを提供することを目的としている。
【００１１】
【課題を解決するための手段】
この目的を達成するために、本発明の請求項１に係る発明は、鍵の押鍵に伴って作動し、ハンマーを回動させることにより、打弦を行わせるピアノのアクションであって、鍵で突き上げられることにより上方に回動するウィッペンと、ウィッペンに回動自在に取り付けられた基部、および基部からそれぞれ延びるとともに、先端側に向かうにしたがって単位長さ当りの重量が小さくなるハンマー突き上げ部およびレギュレーティングボタン当接部を有するジャックと、を備えていることを特徴とする。
【００１２】
このグランドピアノのアクションによれば、ジャックのハンマー突上げ部およびレギュレ−ティングボタン当接部は、先端側に向かうにしたがって、その単位長さ当りの重量が小さくなるように構成されている。それにより、ハンマー突上げ部およびレギュレーティングボタン当接部の重量がそれぞれ削減されるとともに、両者の重心の位置が、従来よりもそれぞれ基部側に位置する。これらの重量の削減および重心の移動により、ジャックの回動に伴って、基部の回動軸回りに作用する慣性モーメントを減少させることができ、鍵の動作に対するジャックの追随性を向上させ、それにより、鍵の連打性を向上させることができる。また、ジャックの重量が削減されていることにより、アクション全体としても重量が削減されるため、鍵のタッチ重さを調整するための鍵重りの量を削減することができ、その分、コストを削減することができる。
【００１３】
請求項２に係る発明は、請求項１に記載のグランドピアノのアクションにおいて、ハンマー突上げ部およびレギュレーティングボタン当接部は、先端側に向かうにしたがって、テーパ状にそれぞれ狭くなっていることを特徴とする。
【００１４】
このグランドピアノのアクションによれば、ハンマー突上げ部およびレギュレ−ティングボタン当接部は、先端側に向かうにしたがって、テーパ状にそれぞれ狭くなっている。それにより、単位長さ当りの重量が、先端側に向かって徐々に小さくなるため、上述した請求項１による作用を得ることができる。また、ハンマー突上げ部およびレギュレーティングボタン当接部が、それぞれテーパ状に形成されていることによって、ジャックを、例えば合成樹脂の成形品で一体に構成する場合に、容易に作製することができる。
【００１５】
請求項３に係る発明は、請求項１または２に記載のグランドピアノのアクションにおいて、基部、ハンマー突上げ部およびレギュレーティングボタン当接部のそれぞれに、重量を低減させるための孔および凹部の少なくとも一方が形成されていることを特徴とする。
【００１６】
このグランドピアノのアクションによれば、基部、ハンマー突き上げ部およびレギュレーティングボタン当接部のそれぞれに、孔および凹部の少なくとも一方が形成されていることによって、これら３者の重量がそれぞれ削減されている。それにより、ジャック全体の重量がさらに削減されるため、ジャックの回動に伴って、回動軸回りに作用する慣性モーメントをさらに減少させることができ、上述した請求項１による作用をより良好に得ることができる。
【００１７】
請求項４に係る発明は、請求項１ないし３に記載のグランドピアノのアクションにおいて、ウィッペンに取り付けられた当接部材と、ハンマー突上げ部の長さ方向の中心よりも基部側に取り付けられ、当接部材に当接することによってジャックの回動を阻止するためのジャックボタンと、をさらに備えていることを特徴とする。
【００１８】
このグランドピアノのアクションによれば、ジャックボタンは、ハンマー突上げ部の長さ方向の中心よりも基部側に取り付けられている。それにより、基部の回動軸とジャックボタンとの間の距離が小さくなることによって、ジャックの回動に伴って、ジャックの回動軸回りに作用する、ジャックボタンの重量による慣性モーメントを減少させることができ、鍵の動作に対するジャックの追随性をさらに向上させることができる。
【００１９】
【発明の実施形態】
以下、図面を参照しながら、本発明の好ましい実施形態を詳細に説明する。図１は、本発明の一実施形態によるグランドピアノのアクションを示している。このアクション１は、すでに説明した従来のアクション５１と比較して、基本的な構成は同じで、ジャック３０の構成のみが異なるものであるため、その他の部品については同じ符号を用いて説明を行うものとする。
【００２０】
このアクション１は、鍵２を載置する筬（図示せず）の左右端部にそれぞれ設けたブラケット２１（図１に一方のみ図示）に取り付けられている。左右のブラケット２１、２１間には、ウィッペンレール２２およびハンマーシャンクレール２３が渡されており、このウィッペンレール２２にねじ止めした各ウィッペンフレンジ２４に、ウィッペン４の後端部が回動自在に取り付けられている。
【００２１】
各ウィッペン４は、例えばＡＢＳ樹脂によって所定の形状に形成されており、対応する鍵２の上面後部に設けられたキャプスタンボタン２５にヒール部４ｃを介して載置されている。また、レペティションレバー５は、その中央部でウィッペン４に回動自在に連結されており、前後方向に延びる本体部５ａの上面前部には、ハンマー３のシャンクローラ８が摺接している。
【００２２】
本体部５ａは、例えばＡＢＳの成形品で構成されており、断面が矩形状で、斜め前上がりに前後方向に延びている。この本体部５ａには、前部の所定位置に、上下方向に貫通するジャック案内孔５ｃが前後方向に延びるように形成されており、このジャック案内孔５ｃよりも前側の上面に、レバースキン２９が貼り付けられている。本体部５ａの後端部には、レバースクリュー２７が上下方向に貫通した状態で進退自在に螺合しており、レバースクリュー２７の下端部にはレバーボタン２８が一体に設けられている。また、レペティションレバー５は、ウィッペン４に取り付けられたレペティションスプリング７によって、復帰方向（図１の時計方向）に付勢されている。
【００２３】
図２、３に示すように、ジャック３０は、ウィッペン４の前端部に取り付けられた基部３１、基部３１から上方に延びるハンマー突上げ部３２、および基部３１から前方（図２の右方）に延びるレギュレーティングボタン当接部３３を有している。このジャック３０は、例えばポリアセタールによって一体に形成されている。基部３１は、軸孔３１ａを介してウィッペン４の前部に回動自在に取り付けられており、軸孔３１ａの周囲に、基部３１の厚さ方向（図２の奥行き方向）に貫通する複数（例えば３つ）の貫通孔３１ｂ（孔）が形成されている。
【００２４】
ハンマー突上げ部３２は、上方の先端側に向かうにしたがって、厚さおよび前後方向の幅が、ともにテーパ状に狭くなっている。それにより、単位長さ当りの重量が、先端側に向かって徐々に小さくなるため、ハンマー突上げ部３２の重心が、従来よりも基部３１側に位置している。また、ハンマー突上げ部３２の下端部には、厚さ方向に貫通する下貫通孔３２ａ（孔）が形成されている。また、中央部から先端部にわたって、厚さ方向に貫通する上貫通孔３２ｂ（孔）が形成されている。これらの下貫通孔３２ａおよび上貫通孔３２ｂによって、ハンマー突上げ部３２は大幅に軽量化されている。また、上貫通孔３２ｂ内には、前壁部３２ｃと後壁部３２ｄとを連結する３つのリブ３２ｅが等間隔で並ぶように設けられている。各リブ３２ｅは、上貫通孔３２ｂを形成したことによる、ハンマー突上げ部３２の剛性および強度の低下を補うためのものである。
【００２５】
ハンマー突上げ部３２には、下貫通孔３２ａと上貫通孔３２ｂの間に、すなわち、ハンマー突上げ部３２の長さ方向の中心よりも基部３１側に、ジャック３０の角度位置を調整するためのジャックボタンスクリュー１１が、前後方向に貫通した状態で進退自在に螺合している。ジャックボタンスクリュー１１の先端部には、ジャックボタン１２が一体に設けられており、このジャックボタン１２は、離鍵状態では、ウィッペン４に立設されたスプーン１３（当接部材）に当接している。ジャックボタン１２のスプーン１３に当接している側はフェルト１２ａで構成されており、その厚さは、ジャックボタン１２の前後方向の全体長さの大部分を占めている。
【００２６】
レギュレーティングボタン当接部３３は、基部３１側の基端部から前方に向かうにしたがって、上方に湾曲するとともに、ハンマー突上げ部３２と同様に、厚さおよび上下方向の幅が、ともにテーパ状に狭くなっている。それにより、単位長さ当りの重量が、先端側に向かって徐々に小さくなるため、レギュレーティングボタン当接部３３の重心もまた、従来よりも基部３１側に位置している。また、レギュレーティングボタン当接部３３には、そのほぼ全体にわたり、厚さ方向に貫通する貫通孔３３ａ（孔）が形成されており、この貫通孔３３ａによって、レギュレーティングボタン当接部３３は大幅に軽量化されている。また、貫通孔３３ａ内には、上壁部３３ｂと下壁部３３ｃを連結する２つのリブ３３ｄ、３３ｄが並んで形成されている。これらのリブ３３ｄ、３３ｄは、貫通孔３３ａを形成したことによる、レギュレーティングボタン当接部３３の剛性および強度の低下を補うためのものである。
【００２７】
ハンマー突上げ部３２の先端部は、レペティションレバー５のジャック案内孔５ｃに、前後方向に移動自在に係合するとともに、離鍵状態においては、シャンクローラ８と微小な間隔を存して対向している。また、ジャック３０は、レペティションレバー５を付勢するレペティションスプリング７によって、復帰方向（図１の反時計方向）に付勢されている。
【００２８】
一方、ハンマー３は、前後方向に延びるハンマーシャンク１４と、その先端に取り付けたハンマーヘッド１５などで構成されており、ハンマーシャンク１４の基端部において、ハンマーシャンクレール２３にねじ止めしたハンマーシャンクフレンジ１６に回動自在に取り付けられている。ハンマーシャンク１４の下面前部の所定位置には、シャンクローラ８が取り付けられている。このシャンクローラ８は、例えば内側のクロスとその外側に巻いたスキンとから円柱状に形成されており、レペティションレバー５の前端部と所定の間隔をもって対向している。
【００２９】
ハンマーシャンクレール２３の下面には、レギュレーティングレール１７がねじ止めされている。また、このレギュレーティングレール１７の下面に、ジャック３０の上方への回動を規制するレギュレーティングボタン１０が、進退自在に螺合しており、ジャック３０のレギュレーティングボタン当接部３３の先端部と所定の間隔をもって対向している。
【００３０】
以上の構成のアクション１の動作は、前述したアクション５１の動作と基本的に同じである。すなわち、図１の離鍵状態から鍵２が押鍵されると、レペティションレバー５およびジャック３０がウィッペン４と一緒に上方に移動し、この移動に伴い、レペティションレバー５の本体部５ａが、シャンクローラ８を摺動させながらハンマー３を突き上げる。その後、ハンマー３が上方に張られた弦Ｓを打弦する直前まで回動した時点で、ジャック３０のレギュレーティングボタン当接部３３の先端部が、レギュレーティングボタン１０に係合することによって回動し、ジャック３０がシャンクローラ８から抜ける。これにより、ハンマー３は、アクション１および鍵２との連結を解かれ、自由回動状態で弦Ｓを打弦する。
【００３１】
その後、鍵２が離鍵され、ある程度の深さまで戻されると、レペティションスプリング７により、レペティションレバー５が反時計方向に復帰回動し、レペティションレバー５がシャンクローラ８を摺動させながらこれを押し上げる。これにより、ジャック６が、レペティションスプリング７のばね力によって、反時計方向に復帰回動し、もとの位置に戻ることによって、鍵２が完全に戻らなくても、次の打弦を確実に行うことが可能になる。
【００３２】
以上のように、本実施形態のアクション１は、主要な構成部品であるジャック３０に貫通孔３１ｂ、３２ａ、３２ｂ、３３ａが形成されていることによって、大幅に軽量化されている。また、ハンマー突上げ部３２およびレギュレーティングボタン当接部３３の重心の位置が、従来よりもそれぞれ基部３１側に位置している。さらに、ジャックボタン１２が、ハンマー突上げ部３２の長さ方向の中心よりも基部３１側に位置している。したがって、これらの理由により、ジャック３０の回動に伴って、その回動軸回りに作用する慣性モーメントを減少させることができ、鍵２の動作に対するジャック３０の追随性を向上させ、それにより、鍵２の連打性を向上させることができる。また、ジャック３０の重量が削減されていることにより、アクション１全体としても重量が削減されているため、鍵２のタッチ重さを調整するための鍵重りの量を削減することができ、その分、コストを削減することができる。
【００３３】
また、ジャックボタン１２のフェルト１２ａが十分な厚さを有していることによって、ジャック３０の復帰回動の際、ジャックボタン１２がスプーン１３に当接する時の衝撃を効果的に吸収することができ、反動によって、ジャック３０が時計方向に回動するのを防止することができる。
【００３４】
図４は、上述したアクション１のジャック３０の変形例を示している。このジャック４０には、上述したジャック３０の貫通孔３２ａ、３２ｂ、３３ａに代えて、複数の貫通孔４０ａが形成されている。これらの貫通孔４０ａは、基部３１の軸孔３１ａから、ハンマー突上げ部３２およびレギュレーティングボタン当接部３３のそれぞれの長さ方向に沿って並ぶとともに、ジャック４０の厚さ方向に貫通するように、互いに同じ径で、形成されている。その他の構成は、前述したジャック３０と同様である。
【００３５】
上述したジャック４０は、ジャック３０の場合に補強用のリブ３２ｅ、３３ｄなどを設けることなく、複数の同一径の貫通孔４０ａを形成したものであるので、容易に加工することができ、ジャック４０を容易に軽量化することができる。その他、ジャック３０と同様の効果を得ることができる。
【００３６】
なお、上述した実施形態では、ジャック３０および４０に貫通孔を形成することによって、それらの重量を削減しているが、貫通孔に代えて、貫通しない凹部を形成することによって、あるいは貫通孔と凹部を組み合わせることによって、軽量化を図ってもよい。また、貫通孔の形状や数は、実施形態に示したものに限らず、ジャック３０および４０の剛性を損なわない限り、自由に設定することができる。また、実施形態で示したアクション１の各構成要素の材質などは、あくまで例示であり、本発明の趣旨に合致する限り、他の適当な材質を採用することが可能である。その他、本発明の趣旨の範囲内で、細部の構成を適宜、変更することが可能である。
【００３７】
【発明の効果】
以上のように、本発明のグランドピアノのアクションは、必要な剛性を確保しながら、より軽量で、鍵の連打性を向上させることができるなどの効果を有する。
【図面の簡単な説明】
【図１】本発明を適用したグランドピアノのアクションを含む鍵盤装置の側面図である。
【図２】図１のジャックの側面図である。
【図３】図２の線Ｉ―Ｉに沿う断面図である。
【図４】ジャックの変形例を示す側面図である。
【図５】従来のグランドピアノのアクションを含む鍵盤装置の側面図である。
【図６】図５の従来のジャックの側面図である。
【符号の説明】
１　　　アクション
２　　　鍵
３　　　ハンマー
４　　　ウィッペン
１２　　　ジャックボタン
１３　　　スプーン（当接部材）
３０　　　ジャック
３１　　　基部
３１ｂ　　貫通孔（孔）
３２　　　ハンマー突上げ部
３２ａ　　下貫通孔（孔）
３２ｂ　　上貫通孔（孔）
３３　　　レギュレーティングボタン当接部
３３ａ　　貫通孔（孔）
４０　　　ジャック
４０ａ　　貫通孔（孔）
【図１】
2004101953.tif 000003
【図２】
2004101953.tif 000004
【図３】
2004101953.tif 000005
【図４】
2004101953.tif 000006
【図５】
2004101953.tif 000007
【図６】
2004101953.tif 000008